(57)【要約】【課題】前立腺肥大症や痔などの予防や症状の緩和に貢献することができ、また冬期におけるスポーツ選手の保温対策等にも使用することができる多用途型の椅子用保温マットを提供する。【解決手段】窪み部１２が形成された上部マット１０と、窪み部２２が形成された下部マット２０を、連結部材４０を介して開口可能に重合するとともに、その両マット間に二つ折り状の耐熱性保護布３０を介装し、上下の窪み部１２，２２間に位置する保護布３０の内部に、別体に設けた発熱体５０を着脱自在に挿入するように構成する。【選択図】図１
2006034922.tif 000002
【特許請求の範囲】
【請求項１】
別個に形成された上部マットと下部マットを、連結部材を介して開口可能に重合して成る椅子用マットであって、該上部マットと下部マットのほぼ中央部に、それぞれ有底の窪み部を形成するとともに、１枚布状に設けた耐熱性の保護布を、前記両マット間に二つ折り状に介装し、上下の窪み部間に位置する保護布の内部に、別体に設けた発熱体を着脱自在に挿入することを特徴とする椅子用保温マット。
【請求項２】
上記した上部マットの窪み部を、無底の孔状に形成したことを特徴とする請求項１に記載の椅子用保温マット。
【請求項３】
上記した発熱体が、使い捨てカイロであることを特徴とする請求項１に記載の椅子用保温マット。
【発明の詳細な説明】
【技術分野】
【０００１】  本発明は、事務用椅子や自動車用シート等の座面に重ね置きして使用する椅子用マットに係るものであり、更に詳しくは、マットのほぼ中央に窪み部を形成し、その窪み部に保温材を挿入するように構成した多用途型の椅子用保温マットに関するものである。
【背景技術】
【０００２】  従来、マットのほぼ中央に窪み部を形成し、その窪み部に熱線を発する物質を挿入する構造のものとして、板状基台の中央部に遠赤外線等を放射する粒状物を内蔵し、その上面に孔を有する臀当て座を設け、全体をカバー体で被覆した構造の痔用座布団があった（例えば、特許文献１参照。）。また一般的な形状の座布団に窪み部を形成し、その窪み部および着座部にヤシガラ活性炭を組み込んで成る座布団も提案されている（例えば、特許文献２参照。）
【特許文献１】特開平１１−２４０号公報（第２−３頁、図１）
【特許文献２】特開２００３−１８９９７９号公報（第２−３頁、図１）
【発明の開示】
【発明が解決しようとする課題】
【０００３】  上記した特開平１１−２４０号公報の痔用座布団は、座布団に必要なクッション性が不足しているので座り心地が悪く、長時間の使用に耐え難いという不具合があり、また上記した特開２００３−１８９９７９号公報の座布団は、着座部および窪み部の内部に、ヤシガラ活性炭をあらかじめ組み込んで製造しているので、長期使用後における再生やリサイクルを行うことが困難であるという不具合もあった。【０００４】  また上記した両文献の座布団は、患部に遠赤外線等を作用せしめて血行や生理代謝作用を促進することができるので、痔疾患等の症状の改善に好影響を与えることはできるが、腰部全体の保温までは想定していないので、例えば冬期におけるスポーツ選手や監督、コーチ、観客の保温対策用マットとして利用するというような、他の用途に活用することができないという欠点があった。【０００５】  さらに上記した両文献の座布団は、いずれも年間を通して経常的に血行促進機能を付与する構造となっているので、例えば夏季には通常の座布団やマットとして使用したり、一日のうちでも所望する時間帯のみに血行促進効果を発揮させるようにしたり、使用時の気温に合わせて放出する熱量を調整するというように、使用者の都合や季節あるいは気候等に最も適した使用形態を適宜に選択することができないという重大な問題点があった。【０００６】  そこで本発明は、前立腺肥大症や痔疾患などの予防や症状の緩和、冬期におけるスポーツ選手等の保温対策など、様々な分野で広範囲に活用することができるとともに、使用者の都合や季節あるいは気候等に最も適した使用形態を適宜に選択することができ、さらにはクッション性や美観にも優れた椅子用保温マットの提供を目的とするものである。
【課題を解決するための手段】
【０００７】  上記の目的を達成するため、請求項１に記載の本発明は、別個に形成された上部マットと下部マットを、連結部材を介して開口可能に重合して成る椅子用マットであって、該上部マットと下部マットのほぼ中央部に、それぞれ有底の窪み部を形成するとともに、１枚布状に設けた耐熱性の保護布を、前記両マット間に二つ折り状に介装し、上下の窪み部間に位置する保護布の内部に、別体に設けた発熱体を着脱自在に挿入する構成を特徴としている。【０００８】  また請求項２に記載の本発明は、請求項１に記載の発明において、上部マットの窪み部を無底の孔状に形成したことを特徴としている。【０００９】  さらに請求項３に記載の本発明は、請求項１に記載の発明において、発熱体が使い捨てカイロであることを特徴としている。
【発明の効果】
【００１０】  本発明に成る椅子用保温マットは、上部マットおよび下部マットにそれぞれ窪み部が設けられているので、着座者の泌尿器部を圧迫することがなく、且つ窪み部に挿入した使い捨てカイロによって患部を効果的に温めることができるので、前立腺肥大症や痔疾患の症状の改善に大いに寄与することができるとともに、冬期におけるスポーツ選手や監督、コーチ、観客等が、腰部を温めることにより体調を整えたり、ウォーミングアップを効率的に行うことができ、併せて釣りなどに携行するアウトドアグッズとしても有効に使用することができるので、様々な分野で広範囲に活用することができるという極めて有益な効果を奏するものである。また本発明品は、使用者の都合や使用する季節、居住する地域の気候等に対応して、保温マットと保温のない通常マットを使い分けたり、使用時間や放出する熱量等を適宜に調節することもできるという顕著な特長を有するものである。さらに本発明は、耐熱性の保護布によって使い捨てカイロを包むような構造になっているので、熱によるマットの損傷や人体への悪影響を防止できるという長所があるばかりでなく、使い捨てカイロをマットの開口部から挿脱するのみの簡単な操作で保温効果を得ることができるという長所があり、また廉価な構成材を用いて簡単に製造することができるので、市場に安価な製品を提供できるという利点もある。なおまた本発明の椅子用保温マットは、クッション性や美観に優れているので、事務所の椅子や自動車用シート、応接間のソファーなどに重ね置きしても、違和感なく使用することができる。
【発明を実施するための最良の形態】
【００１１】  本発明は、それぞれ窪み部が形成された上部マットと下部マットを重合し、その両マット間に耐熱性の保護布を介装させた構成とするもので、上下の窪み部間に位置する保護布の内部に、発熱体を着脱自在に挿入して保温効果を得るようにするものである。
【実施例１】
【００１２】  以下に、本発明の一実施例を図１〜図５に基づいて詳細に説明するが、本発明は、図１に示すように、上部マット１０と、下部マット２０と、保護布３０を主たる構成材とし、その上下のマットを連結部材４０によって連結するとともに、発熱体５０を別途に用意するようにするものである。【００１３】  上部マット１０は、クッション材１５によって肉厚状に設けられた着座部１１と、その着座部１１のほぼ中央部に形成された窪み部１２とを備え、且つ着座部１１の外端の四周にフリル１３を取付けて成るものである。該窪み部１２は、上下のカバー体１４のみによって底を形成し、大略凹状に設けられたものであるが、場合によっては、その底部に薄層状のクッション材を内設するようにしてもよい。【００１４】  また下部マット２０は、前記上部マット１０と同様に、クッション材２４によって設けられた着座部２１と、その着座部２１のほぼ中央部に形成された窪み部２２とを備えて成るものであるが、上部マット１０に比較してかなり肉薄状に形成されている。なお本実施例では、上下のマットの厚みが異なっているが、両マットの厚さは同一状であっても差し支えない。【００１５】  上部マット１０と下部マット２０は、上述した如くにそれぞれ別個に形成されており、ゴム紐を用いて形成された連結部材４０によって、図２に示すように、両マットの後部同士および左右側部同士が連結されて、両者が重合した形状となっている。したがって上部マット１０は、図４に示すように、後部の連結部材４０を支点として上下方向に回動可能であり、且つゴム紐とマットに伸縮性および弾力性が付与されているので、図３に示すように、両マット間の前部を大きく開口することができるようになっている。【００１６】  １枚布状に設けられた保護布３０は、後述する発熱体から放出される熱が、マットや人体に悪影響を及ぼすことを防止するために使用されるもので、耐熱性を有するやや厚地の布を二つ折り状にして、両マット間に介装されるものである。この場合における保護布３０は、図４に示すように、その最上面部を上部マット１０の底面に固定され、且つその最下面部を下部マット２０の上面に固定されているので、上部マット１０の上下移動に伴って保護布３０も上下移動するような構造となっている。なおこの保護布３０のマット面への固定手段は、縫着、貼着等の如何なる手段を採用してもよい。【００１７】  本発明で使用する発熱体５０としては、一般的に市販されている使い捨てカイロを想定しているので、以下の説明は、使い捨てカイロとして記載する。この使い捨てカイロには各種の大きさのものがあるので、使用形態に応じて、小型タイプのものを使用するようにしたり、大型タイプのものを使用するようにしたり、小型タイプのものを２枚重ねで使用したりして、適宜に使い分けるようにするとよい。なお本発明では、図１に示すように、使い捨てカイロを布製のカイロ袋５１に入れて使用するものとし、また夏期のように温める必要のない季節においては、使い捨てカイロを用いない通常の椅子用マットとして使用することも可能である。なおまた本発明で使用する発熱体として、使い捨てカイロ以外の他の発熱体を採用してもよいことは勿論である。【００１８】  ���に、本発明の椅子用保温マットの使用方法について説明する。前述したように、上部マット１０は下部マット２０に開口可能に連結されているので、図３および図４に示すように、上部マット１０の前部を手で持ち上げ、使い捨てカイロを二つ折り状の保護布３０の間に差し入れるのであるが、この際の使い捨てカイロは、図４の仮想線で示すように、下部マット２０の窪み部２２を被覆する位置の保護布上に挿入されるものとする。またマット上に着座した使用者は、図５に示すように、上下の着座部１１，２１によって臀部が支持され、且つ泌尿器部が密接する位置に窪み部１２，２２が設けられているので、患部が圧迫されるようなことがなく、併せて使い捨てカイロによって泌尿器部を中心とした臀部全体を保温するような構造になっているのである。
【実施例２】
【００１９】  次に、図６を参照して本発明の第２の実施例について説明する。本実施例は、上部マット１０に設ける窪み部１２を、実施例１のような有底状ではなく、無底の貫通孔状に形成する例を示すものである。この場合は、窪み部１２の上方から保護布３０を視認することができる構造となっている。なおその他の構成部は実施例１の場合と同一に設けられるものとする。
【実施例３】
【００２０】  続いて、本発明における図示しない第３の実施例について説明する。この実施例は、連結部材４０としてファスナーを用いる例を示すもので、上部マット１０と下部マット２０の連結されていない前部にファスナーを取付けることにより、マットの水平方向への移動を防止しようとするものである。なおマットの前部のみにファスナーを取付けるのではなく、上下のマットの全周をファスナーで連結して、使い捨てカイロの挿脱時にファスナーを開閉するようにすることも可能である。【００２１】  本発明は以上のように構成された椅子用保温マットであり、前立腺肥大症や痔などのような泌尿器系疾患の持病者が使用した場合には、患部を圧迫することなく血流も促進されるので、症状の改善に大きく寄与することができるとともに、健康な人が使用した場合でも、泌尿器系疾患の予防効果を期待することができる。【００２２】  また本発明の椅子用保温マットは、泌尿器系疾患の持病者のみを対象とするものではなく、スキーやスケート、スノーボード等のようなウインタースポーツの選手、監督、コーチ、観客などの保温対策用として活用することができるが、特に選手の場合には、移動時や休憩時に、本発明の保温マットを用いて腰部を保温するようにすれば、競技前の体調を整え、ウォーミングアップを効率的に行うことができる。さらに本発明は、釣りやキャンプなどのアウトドアレジャーにおける保温用品としても提供することができるので、多用途の保温マットとして広範囲に使用することができるものである。
【図面の簡単な説明】
【００２３】
【図１】本発明の椅子用保温マットの分解斜視図である。
【図２】椅子用保温マットを後方から見た状態の一部切欠斜視図である。
【図３】椅子用保温マットの開口状態を示す斜視図である。
【図４】発熱体の挿入方法を示すもので、フリルを取り除いた状態の側面図である。
【図５】使用状態を示す断面図である。
【図６】実施例２の上部マットを示す一部省略断面図である。
【符号の説明】
【００２４】１０  上部マット
１１，２１  着座部
１２，２２  窪み部
２０  下部マット
３０  保護布
４０  連結部材
５０  発熱体
【図１】
2006034922.tif 000003
【図２】
2006034922.tif 000004
【図３】
2006034922.tif 000005
【図４】
2006034922.tif 000006
【図５】
2006034922.tif 000007
【図６】
2006034922.tif 000008